(57)【要約】      （修正有）【課題】窯の中や薪ストーブの中や野外の炭火の中に投入し、サンドイッチ等食品を焼き上げることができ、又取手の取り付け取り外しが簡単にでき、取手の過熱防止により火傷の防止をすることができる、サンドイッチ焼き用フライパンを提供する。【解決手段】箱型とし、蓋部と底部をちょうつがいを利用して重ね合わせてロックできるロック金具を持つ。また取手の取り付け取り外しができる金具を側面に設ける。箱の内部には蓋部と底部それぞれの四方に圧着用の台座を備え、中心部に十字の凸部を備える。【選択図】図１
0003184195.tif 000002
【実用新案登録請求の範囲】
【請求項１】
サンドイッチ焼き用フライパンを、窯の中や薪ストーブの中や野外の炭火の中に直接投入し、サンドイッチ等食品を焼き上げることのできることを特徴とする、サンドイッチ焼き用フライパン
【請求項２】
サンドイッチ焼き用フライパンの内部に、食品圧着用台座と十字凸部を備え、蓋部と底部を重ね合わせ、ロック金具にてロックし、食品を圧着しながら焼き上げることのできることを特徴とする、サンドイッチ焼き用フライパン
【請求項３】
サンドイッチ焼き用フライパンを、窯の中や薪ストーブの中や野外の炭火の中に投入取り出しの際、取手の取り付け取り外しが簡単にでき、取手の過熱による火傷の防止をすることができることを特徴とする、サンドイッチ焼き用フライパン
【考案の詳細な説明】
【技術分野】
【０００１】  本考案は、サンドイッチ焼き用フライパンであって、窯の中や薪ストーブの中や野外での炭火の中に直接投入し、サンドイッチ等食品を焼き上げることができるもので、取手の取り付け取り外しが簡単にできることで、取手の過熱による火傷の防止が可能にできるものである。
【背景技術】
【０００２】  本考案のサンドイッチ焼き用フライパンは、窯の中や薪ストーブの中や野外での炭火の中に直接投入して使用できることにより、災害時にも他の道具を必要とせずに使用することができ、又取手の取り付け取り外しが簡単にできるので、投入後に取手を外すことにより取手の過熱防止も可能にすることができる、サンドイッチ焼き用フライパンである。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  本考案のサンドイッチ焼き用フライパンは、窯の中や薪ストーブの中や野外での炭火の中に直接投入し、サンドイッチ等食品を焼きあげることができ、又投入時や取り出し時に使用する取手を簡単に取り付け取り外しできることにより、取手の過熱による火傷の防止を可能にすることも解決するものである。
【課題を解決するための手段】
【０００６】  本考案のサンドイッチ焼き用フライパンは、箱型で蓋部と底部をちょうつがいを利用し重ね合わせ、ロック金具でロックする、箱型のサンドイッチ焼き用フライパンである。箱の内部には、蓋部と底部それぞれの四方に圧着用の台座を備え、中心部に十字の凸部を備えることにより、食品を圧着しながら焼き上げることができる。窯の中や薪ストーブの中や野外での炭火の中に投入し、その熱で焼き上げることができ、問題を解決することができる。【０００７】  本考案のサンドイッチ焼き用フライパンを、窯の中や薪ストーブの中や野外の炭火の中に投入又は取り出し時、取手用金具に取手を差し込むことにより、簡単に取手の取り付け取り外しができるので取手の過熱防止が可能になり、火傷の防止を可能にすることができ、問題を解決することができる。
【考案の効果】
【０００８】  本考案のサンドイッチ焼き用フライパンを利用することにより、窯の中や薪ストーブの中や野外での炭火の中で手軽にサンドイッチ等の食品を焼き上げることが可能になる。災害時等にも、他の道具を必要とせず直接炭火に投入できるので、応急用の調理器具としても役立つものである。
【図面の簡単な説明】
【０００９】
【図１】本考案のサンドイッチ焼き用フライパンの上面図である。
【図２】図１のＡから見た図である。
【図３】図１のＢから見た図である。
【図４】本考案のサンドイッチ焼き用フライパンの蓋部底部を開いた図である。
【図５】図４のＣから見た図である。
【図６】図４のＤから見た図である。
【図７】取手の上面から見た図である。
【図８】図７のＳから見た図である。
【考案を実施するための形態】
【００１０】  本考案のサンドイッチ焼き用フライパンにサンドイッチ等食品を入れ、蓋部と底部を閉じ、Ｎのロック金具をＭのロック用台座にかけることでロックする。取手のＴの部分を、Ｐの取手用金具に差し込み、窯の中や薪ストーブの中や野外の炭火の中に投入する。焼き上げる最中は取手をはずしておき、サンドイッチ焼き用フライパンを取り出す時に再び取手を取り付けとりだす。食品を取り出す時は、Ｎのロック金具を外し、蓋部を開くことにより食品を取り出す。
【実施例】
【００１１】  本考案のサンドイッチ焼き用フライパンにサンドイッチ等食品を入れ、蓋部と底部を閉じ、Ｎのロック金具をＭのロック用台座にかけることでロックする。取手のＴの部分を、Ｐの取手用金具に差し込み、窯の中や薪ストーブの中や野外の炭火の中に投入する。焼き上げる最中は取手をはずしておき、サンドイッチ焼き用フライパンを取り出す時に再び取手を取り付けとりだす。食品を取り出す時は、Ｎのロック金具を外し、蓋部を開くことにより食品を取り出す。
【産業上の利用可能性】
【００１２】
【符号の説明】
【００１３】Ａ  サンドイッチ焼き用フライパンの左側面
Ｂ  サンドイッチ焼き用フライパンの右側面
Ｃ  サンドイッチ焼き用フライパンの内部断面
Ｄ  サンドイッチ焼き用フライパンの底部の断面
Ｅ  サンドイッチ焼き用フライパンの内部の圧着用台座
Ｇ  サンドイッチ焼き用フライパンの内部の十字凸部
Ｈ  サンドイッチ焼き用フライパンの蓋部
Ｋ  サンドイッチ焼き用フライパンの底部
Ｍ  サンドイッチ焼き用フライパンのロック用台座
Ｎ  サンドイッチ焼き用フライパンのロック金具
Ｐ  サンドイッチ焼き用フライパンの取手取り付け用金具
Ｒ  サンドイッチ焼き用フライパンの取手部
Ｓ  サンドイッチ焼き用フライパンの取手の左側面
Ｔ  サンドイッチ焼き用フライパンの取手取り付け用金具の差し込み口
Ｖ  サンドイッチ焼き用フライパンの取手の手持ち部
【図１】
0003184195.tif 000003
【図２】
0003184195.tif 000004
【図３】
0003184195.tif 000005
【図４】
0003184195.tif 000006
【図５】
0003184195.tif 000007
【図６】
0003184195.tif 000008
【図７】
0003184195.tif 000009
【図８】
0003184195.tif 000010
【手続補正書】
【提出日】平成25年3月22日(2013.3.22)
【手続補正１】
【補正対象書類名】実用新案登録請求の範囲
【補正対象項目名】全文
【補正方法】変更
【補正の内容】
【実用新案登録請求の範囲】
【請求項１】
サンドイッチ焼き用フライパンは箱型で、ロック用Ｌ金具のある蓋部と、金具かけ台座と取手差込み金具のある底部と、金具差込み溝のある取手で構成され、窯の中や薪ストーブの中や野外の炭火の中に直接投入しサンドイッチ等食品を焼き上げることができ簡単に取手の脱着ができることを特徴とするサンドイッチ焼き用フライパン
【請求項２】
サンドイッチ焼き用フライパンの内部に食品圧着用台座と十字凸部を備え蓋部と底部を重ね合わせ開かないようにするため蓋部の右側面のＬ金具を底部の右側面にある台座にかけロックし、食品を圧着しながら焼き上げることのできることを特徴とする請求項１記載のサンドイッチ焼き用フライパン
【請求項３】
サンドイッチ焼き用フライパンの底部の手前側面に取手差込み用のＬ金具を備え、先端にＬ金具差込み用の溝を備えた取手を差込むことにより持ち運び、簡単に取手の脱着ができることを特徴とする請求項１記載のサンドイッチ焼き用フライパン